(57)【要約】【課題】美観を生かす玄関とベランダ及び軒下等に巣を造る燕、そして壁隅の天井の微妙な隙間から垂下しねぐらとするコウモリ達のフンに悩まされてきた。これらを排除できる営巣侵入防止具を提供する。【解決手段】壁の上部縁端部に異なる支柱に複数の貫通孔（１２）を具備し、該貫通孔（１２）に線材挿通し、コイルバネと緊結させて張力を生じさせると、線材（２６）の中心部に加重が加わってもコイルバネ（２５）の引力によって線材(２６)を基に戻し、並行状態で張設可能に線材（２６）が設けられ営巣の侵入を受け付けないことを特徴とする。【選択図】  図１
2014131492.tif 000002
【特許請求の範囲】
【請求項１】
S字形で末広状の湾曲の軸の上方に円球ガードが設けられ、側面には複数の貫通孔が設けられ、下方のラッパ状の付け根が固定板と一体化され、異なる壁面に本体を固着し複数の貫通孔に線材を挿通させて浮上させる事により、侵入を妨げ（該）平壁には長円形の平状固定部を設け、出隅壁には長円形のL字状固定板と入隅壁には長円形の逆字状固定板を壁の用途に応じて固着し、（該）貫通支柱には複数の貫通孔に面付き筒孔を設け、出隅支柱と入隅支柱及び入隅左右支柱の複数の貫通孔には、面付き湾曲子を設け線材の摩擦を最小限にし（該）A断面は出隅支柱側の線材の接点となり、B断面は入隅支柱側の接点となり（該）線材が支柱間でコイルバネの係止体に緊結させ線材の引力によって等間隔に浮上され張設可能とする事を特徴とする営巣侵入防止具。
【請求項２】
本体の異なる支柱と異なる固定板が一体化され、貫通支柱・出隅支柱・入隅支柱・入隅左右支柱の４種類にわかれ、それぞれが異なった壁に固着され（該）別例の細長貫通支柱は貫通支柱の貫通孔が板裏面に対して平行状に設けられている為、支柱上方と下方の湾曲を小道具で叩けば緩やかな湾曲状に変化し、壁面に対し直角状に固着され、線材を下方向へ吊り下げることが出来、（該）照明器具の上方の縁部にホースバンドを装着し線材を緊結する事によって侵入を防止する事が出来、円形と角形及び縦長方形の照明器具裏や傘裏の空間部への侵入を妨げ、更に天井板を支える下地材に応じて広範囲に縦と横を拡大できる事を特徴とする請求項１記載の営巣侵入防止具。
【請求項３】
前記固定板の中心部に縦軸を設け、支柱が左右自在に可動し求める任意の方向に定着される事を特徴とする請求項１あるいは請求項２記載の営巣侵入防止具。
【発明の詳細な説明】
【技術分野】
【０００１】
この考案は、壁の上部縁端部に異なる支柱に複数の貫通孔に線材を挿通し、張り巡らせ空中に浮上させて、営巣を寄せ付けないことに関するものである。
【背景技術】
【０００２】
従来の考案には、鳥来防止にそれぞれの提供があった。例として、CD盤を紐で緊結し軒下に垂下させて、風を利用し眩しさと驚かしを与える考案や、金属製の連結部に、縦状に格子棒を等間隔に固着された枠体を並列に、距離に応じる所まで取り付け可能な防止具の考案が提供されている。
【先行技術文献】
【特許文献】
【０００３】
【特許文献１】登録実用新案第３０３３４６８号公報
【発明の概要】
【発明が解決しようとする課題】
【０００４】
これは次のような欠点があった。
軒下で、紐でCDやDVD盤を垂下させ、眩しさと驚かしを与えるが、しばらくすると慣れてしまう欠点があって、効果が劣ると玄関やベランダ並び軒下等に線材を乱張した住宅を５月上旬以後になると見受けられる。
【０００５】
又、枠体の連結部に縦状に格子棒を等間隔に固着し、並列に距離に応じる所まで取り付け可能に製作されているが、隅部の壁の合流部品が無い為の欠点があった。
【０００６】
更に、前述の鳥類飛来防止装置は、施工の際に入隅と出隅の延び寸法と転がり寸法が流れ墨となって切断の際に難箇所となるので、容易に設置可能と言う事にはできない。
本考察は、以上のような欠点を無くす為に成されたものである。
【課題を解決するための手段】
【０００７】
本考案の具体的な実施例について、図面に基づいて説明する。本体には平壁に設ける貫通支柱（２）と出隅壁（７）に設ける出隅支柱（３）及び八隅壁（８）に設ける入隅支柱（４）。そして、八隅壁（８）の耐力柱（３１）に設ける入隅左右支柱（５）等に線材（２６）を挿通し張設可能に構成したものである。
【０００８】
異なる支柱は一体形で頭部先端に円球ガード（９）と支柱の軸部は丸・角・板系で頭部から下部にかけて末広状に広がる。又、線材（２６）を挿通させるための複数の貫通孔（１２）の縁部に面を施し、更に、腕木の元部がラッパ状（１１）に形成し、固定板と支柱が合致するものでなく、一体化したものである。
【０００９】
また、異なる壁の上部縁端部の周囲に本体を固着し、線材（２６）を貫通孔（１２）に挿通しコイルバネ（２５）の両端の係止体（２７）に線材（２６）を張着させながら緊結（２９）し、張り巡らせる。尚、線材（２６）の最上線と天井板の空間を２５ミリから３５ミリにし、支柱の間隔を１８２０ミリから２７３０ミリ以内が望ましく、支柱の高さは、１５０ミリから１８０ミリ程度が、美観的である。
【００１０】
貫通支柱（２）の腕木の長さ（１０）を除き、出隅支柱（３）と入隅支柱（４）及び入隅左右支柱（５）の腕木を出隅壁（７）と入隅壁（８）の箇所に固着する。
【００１１】
隅壁に腕木が設けられる長さを矩９０度に対し、留め角度４５度の腕木の長さ（１０）が、最下孔（１７）から裏側の中心線（１８）までの距離とする。該貫通支柱（２）の腕木の長さ（１０）に対して、出隅壁（７）と入隅壁（８）の腕木の長さ（１０）が、1.414倍となる。
【００１２】
入隅左右支柱（５）は、貫通支柱（２）の腕木の長さ（１０）の形状が異なり、長円形の平状固定部（１９）の中心点を軸とし、腕木の元部のラッパ状（１１）の付け根が長円形の平状固定部（１９）内の範囲におさめられる。
【００１３】
更に、固定板の縦中心線の左右の後方部が、半円形状で円滑な曲線で一体化され右用と左用にわけられる。
【００１４】
固定板には平壁（６）に長円形の平状固定部（１９）を、貫通支柱（２）及び入隅左右支柱（５）に設けられる。また、入隅壁（７）の長円形のL字状固定部（２０）は、出隅支柱（３）に設けられる。更に、入隅壁（８）の長円形の逆L字状固定部（２１）は、入隅支柱（４）に設けられる。
【００１５】
図５に示す平図面は、取付け時の配置図と線材（２６）をコイルバネ（２５）に緊結（２９）させる配線施工図である。該貫通支柱（２）を任意の中央部にＣ地点（１５）とし、床面積に応じて対向方向にＤ地点（１６）を設け固着する。
【００１６】
又、線材（２６）を貫通孔（１２）に挿通させて、コイルバネ（２５）の両端の一端部の係止体（２７）に緊結（２９）し、掛止状（２７）で自在に設け備えておく。
【００１７】
更に、線材（２６）を支柱ごとに挿通させながらＤ地点（１６）に固着されている貫通支柱（２）の手前３００ミリから４００ミリ以内の地点でコイルバネ（２５）の一端と線材（２６）を緊結（２９）し、もう一端の係止体（２７）に線材（２６）を緊結（２９）して、僅かながらの力を加えて張着させながら支柱ごとに挿通する。
【００１８】
その上に、任意の中央部のＣ地点（１５）で貫通支柱（２）に掛止状（２８）で自在に緊結（２９）されている。コイルバネ（２５）のもう一端の係止体（２７）に張力を加え仮止めし、全部の配線が完了後に本絞めをする。
【００１９】
従って、２ヵ所にコイルバネを設け、線材（２６）を緊結（２９）し、張力を加える事によって、沈みを少なくし、平行状態に張設可能にできる。又、線材（２６）を１段ずつ張設する事によって容易な施工となり、線材（２６）が絡み合う事が少ない。
【００２０】
図７に示す断面図は、貫通支柱（２）の側面に複数の面付き筒孔（１２―１）を設け、線材（２６）を容易に貫通させるために面を設け一直線上の箇所に設けられる。
【００２１】
図８に示す断面図は、出隅支柱（３）と八隅支柱（４）の側面に複数の面付き湾曲孔（１２−２）を設け、該面付き湾曲孔（１２―２）の接点に線材（２６）の摩擦を少なくする為の防止であって、筒孔の内径の前後を一石二鳥で出隅支柱（３）と入隅支柱（４）を取付けできる。
【００２２】
支柱の軸部の突端に円球ガード（９）を１４ミリ程にし、支柱の頭部を６ミリから８ミリ程にし最下孔（１７）付近を１４ミリから１６ミリ程にする。又、腕木部分の内部を空間にしても良く、固定板の裏側のラッパ状（１１）の部分が円形状に貫かれた姿に成る。又、固定板はトラック型で曲成部分を含めて横方向を８０ミリ程にし、縦方向を６０ミリ程が望ましい。
【００２３】
図９は入隅左右支柱（５）の支柱軸の正面図であって、右用と左用に型が別けられるものである。図５の入隅左右支柱（５）が同じ条件の位置に固着されるが、ただ左右対称に支柱軸の方向が異なるだけである。又、これは１つ目の八隅左右支柱（５）の考案である。
【００２４】
図１０は、別例の入隅左右支柱（５）の正面図であって、又、図１１は平面図である。これらは、固定板の縦中心部に左右自在にするための縦軸と軸止めの孔を具備し、ラッパ状（１１）の約二分の一位の半円形を取り除いたものである。
【００２５】
更に、支柱軸の側面の９０度角部に縦孔を施し、固定板の縦中心部の上下をＬ字状に曲成し板中心点に軸孔を設け、支柱が左右自在で止めビスを該平ビスにし、一つの固定板が二役する二つ目の八隅左右支柱（５）である。
【００２６】
図１２は別例の貫通支柱（２）の支柱を変形させる為に、支柱の頭部の湾曲部を緩やかな返りにし、腕木部はそのままで小道具を使用して細長く緩やかな湾曲にし、角度を固定板のラッパ状（１１）の中心部より平行方向で支柱の先端の円球ガード（９）に向けて９０度程が望ましい。又、貫通支柱（２）に貫通孔（１２）が設けられている為、支柱に対して小槌で叩けば簡単に曲がるような鋼材を考慮するものである。
【００２７】
図１３は別例の細長貫通支柱（３８）に線材（２６）を挿通し、壁用照明器具（３５）の頭部縁部にホースバンド（３７）を装着し、線材（２６）で緊結（２９）する事によって侵入防止となる。
【００２８】
図１４は上部共に別例の細長貫通支柱（３８）で、天井面と照明器具の裏側に空間を持つ円形と角形及び縦長の器具裏に巣造りを始めるのを防止する為に、照明器具の周辺の４隅に細長貫通支柱（３８）を設けたものである。
【００２９】
又、天井板を支える下地材に応じて横と縦幅を好みに合わせ、中間部に細長貫通支柱（３８）を固着すれば、望む長さまで延長できる。
【発明の効果】
【００３０】
従来の枠体の連結部に、縦状に格子棒を等間隔に固着し直列に枠体を幾つも並べられるが、隅壁に対する格子棒の合流地の留め角度４５度と転がり（傾斜角度）寸法の延び目配を交えた。流れ止めの部品が無い為、取付け施工者も頭を抱えるような難点がある。
【００３１】
よって本考察は、平壁と隅壁に適合する固定板と支柱が一体化され、更に、複数の貫通孔に面を施し筒状貫通と湾曲貫通孔を具備し、平壁と出隅壁及び入隅壁に固定板を固着支柱に線材を挿通し、コイルバネの係止体に張力を生じさせることによって、線材を空中浮上させ営巣侵入防止となる。
【００３２】
従って、従来の色々の形状の考案を鑑みて、取付け取り外しも僅かな時間で施工できる。故に、永住にかけて設置しても目立つことが少なく、美形状に構成したものであって、その結果、この様な新しい発明の効果が生まれた。
【図面の簡単な説明】
【００３３】
【図１】本考案の貫通支柱の斜視図である。
【図２】本考案の出隅支柱の斜視図である。
【図３】本考案の入隅支柱の斜視図である。
【図４】本考案の入隅左右支柱の斜視図である。
【図５】本考案をベランダの一部に例とした平面図である。
【図６】本考案の図６の（Ａ）〜（Ｂ）の切断線を正面図に描いたものである。
【図７】本考案の貫通支柱の筒孔の断面図である。
【図８】本考案の出隅支柱と入隅支柱及び入隅左右支柱の筒孔の断面図である。
【図９】本考案の入隅左右支柱を右用と左用に別けた。
【図１０】本考案の別例で、入隅左右支柱が左右自在の正面図である。
【図１１】本考案の別例で、入隅左右支柱が左右自在の平面図である。
【図１２】本考案の別例で、貫通支柱の支柱上部を変形させた斜視図である。
【図１３】本考案の別例で、壁用照明器具の上部に線材を覆う斜視図である。
【図１４】本考案の別例で、天井照明器具を覆った斜視図である。
【発明を実施するための形態】
【００３４】
以下、本考案を実施する為の形態を図面に基づいて説明をする。
線材（２６）を、壁の上部縁端部に平衡状態に浮上させる４つの異なる本体図２から図５が、それぞれの壁の形状にそった。固定板で固着し、線材（２６）を張り巡らせ、張設可能にするものである。
【００３５】
本体は合致したものでなく一体化されたものであって、形状は頭部先端に円球ガード（９）を設け、施工の際に、手の負傷を免れる為の安全性と美観のデザインを考慮したものである。
【００３６】
支柱には、Ｓ字状の湾曲の側面に筒孔を２ミリ程にし、等間隔に貫通孔（１２）を設け、該貫通孔に線材（２６）をスムーズに挿入できるように設ける。
【００３７】
更に、線材（２６）の最上線には少し強力な引力を交える為、太めのコイルバネを使用する。最上線にぶら下がり、何度も僅かな群れが繰り返し垂下する為線材（２６）が伸びる。一度伸びた線材（２６）は見苦しくなり、又、元に戻るのは不可能であって、改めて調整するのが面倒である。
【００３８】
因って、本考案は貫通孔（１２）に線材（２６）を挿通しコイルバネ（２５）の係止体（２７）に緊結（２９）することによって、張力を生じさせて、ぴんと張設可能と成るように整えられたものである。固定板を固着する際に、地方のまが異なる為、寸法も異なる。
【００３９】
標準腕木とする貫通支柱（２）は、出隅壁（７）と入隅壁（８）に固着する図３から図５の出隅支柱（３）と入隅支柱（４）及び入隅左右支柱（５）を除き、貫通支柱（２）の最下孔（１７）から長円形の平状の固定部（１９）の裏側の縦中心線（１８）までを、４０ミリから６０ミリ程が望ましい。又、かど壁に設けられる腕木の長さ（１０）が４５度の腕木の長さに対して、平壁における標準腕木の１．４１４倍となり、張設された線材（２６）が、上面や正面から一直線上に浮上される。
【００４０】
尚、図５に示す平面図の（Ａ）〜（Ｂ）の切断線を描いた図７を示す正面図を説明する。入隅支柱（４）と入隅左右支柱（５）を取り除き、代わりに貫通支柱（２）を互いの位置で対面状に固着され、出来る限り平壁（６）にそうように、支柱軸の芯が５０ミリから１００ミリ程に離し、中間に挟まれた貫通支柱（２）は、別例の施工の為に撤去されるため、少し強力なコイルバネを使用し強く引力を生じさせなければならない。
【００４１】
固定板と支柱軸の形状で、貫通支柱（２）の場合は、平壁（６）に対して長円形の平状固定部（１９）の縦中心部より垂直に設けられる。出隅支柱の場合は、出隅壁（７）に対しては支柱が長円形のＬ字状固定部（２０）に曲成され、縦中心部に１３５度に、支柱が垂直に設けられる。入隅支柱に（４）に対しては、支柱が逆Ｌ字状固定部（２１）曲成された縦中心部より４５度に、支柱垂直に設けられる。入隅左右支柱（５）は、平壁（６）に対して、支柱が固定板の縦中心部より縦方向４５度と１３５度が交じり合って、支柱が垂直に左右同等の形状に設けられる。
【００４２】
図７に示す断面図は、貫通支柱（２）の側面に複数の筒孔に面を設けスムーズに挿通する為であって、平壁（６）と筒孔の方向が平行状態となる。
【００４３】
図８に示す断面図は、面付き湾曲孔（１２―２）に線材（２６）を挿通し、張力が生じた場合の接点であり、出隅支柱（３）に線材（２６）に張力が生じた際には、Ａ断面は１３―１側の接点に引き付けられる。又、八隅支柱（４）には、Ｂ断面が１４―１側の接点に引き付けられる。尚、面付き湾曲孔は、摩擦を最小限にする為であり、筒孔が平壁と平行状態にならず、平壁（６）同士が直角に交じり合った直角三角形の底辺の方向に筒孔が向く。従って、八隅左右支柱も同等である。
【００４４】
又、本体に関しては、形状がＬ・Ｉ・横Ｕ字・円・角・傾斜系であって、断面は、円・角・Ｉ系で。材質は、ダイガスト・ステンレス・樹脂製・鉄に塗布や樹脂製を被せた系状のもので、更に線材はステンレス・銅線・樹脂系状で、いずれのもので良い。但し、樹脂製品を変形させる場合は加熱で行う。
【００４５】
図９に示す入隅左右支柱（５）の正面図は、図５に示すベランダ内の耐力柱に繋がる垂れ壁が交じり合いである。通常の垂れ壁は日照りを考慮し、従来の住宅の垂れ壁が１３０ミリから１６０ミリ程度に施工されている。又、固定板が垂れ壁の入隅壁下端部（８−１）から外れ、固着できない状態に成る為、図４に示す長円形の左右状固定部（２２）を耐力柱（３１）に固着し、右用と左用に別ける。
【００４６】
又、八隅左右支柱（５）は、従来のベランダの垂れ壁（３２）の南側と東西に開口部を有し、南側の両端部の八隅壁下端部（８―１）に支柱を取付け、線材（２６）を張設する事をいとも簡単に難箇所を固着できる。
【００４７】
又、図５に示す入隅左右支柱（５）が右用と左用にかたどられた長円形の左右状固定部（２２）が耐力柱（３１）の垂れ壁（３２）の余り分の有効幅が設けられる場合に固着されるものである。
【００４８】
更に図４に示す入隅左右支柱（５）の長円形の左右状固定部（２２）が、耐力壁（３０）の垂れ壁（３２）の余り分の有効幅が設けられない場合には、例えば図５に示す図面上の西側の耐力壁（３０）の八隅壁（８）に入隅支柱（４）を固着し、耐力柱（３１）が同じ寸法の場合は、支柱全体を少し下げ出隅支柱（３）を設けられる。
【００４９】
よって平壁（６）と線材（２６）が平行状態となって、一作が張設されるが、コスト削減を考慮するのも十分に必要であり、見栄も重視する場所でもある。ここで、貫通支柱（２）を使用すれば、同じ製造用の金型の枠体で物体が仕上がる為、好都合である。しかし、あくまで耐力柱の縦方向の垂れ壁（３２）の幅の寸法が、余った面積分で、長円形の平状固定部（１９）が壁の外に外れない限りの事である。
【００５０】
又、凹壁と凸壁状で、緩やかな湾曲にかたどられた壁には、任意の間隔を用いて、貫通支柱（２）を湾曲状にそうように小間隔で固着する。
【００５１】
近頃の住宅のベランダの天井と軒の天井が平面状に仕上げられ、垂れ壁（３２）を必要とせず、入隅左右支柱（５）の取付け箇所が少なくなる。しかしながら本考案は、これから新たに建てられるのは勿論の事、既に建てられた住宅において燕とコウモリのフンに悩まされている方に対する考案である。更に、邪魔に成る場所ではないので、一度線材（２６）を張設すれば、永住に渡って取付け取り外しを行う事は無い。
【００５２】
図１０に示す入隅左右支柱（５）の別例の考案であって、図１０は正面図で図１１は平面図である。又、支柱が長円形の左右状固定部（２２）の縦中心の上下にＬ字状に曲成し、板の中心点に軸孔を設ける。
【００５３】
又、支柱のラッパ状（１１）を左右自在に可動するように、約二分の一位の半円形を取り除き、ラッパ状（１１）の半分が９０度角と成るが、少し削り落とし分の肉厚を少なくし、回転分の孔の面積部分のかど隅に貫通孔（１２）を設け、軸棒によって自在可能となり、一つの固定板で一石二鳥のコスト削減となる。二つ目の別例の考案である。
【００５４】
図１２に示す貫通支柱（２）の別例の考案であって、湾曲に曲成された支柱部を細長貫通支柱（３８）に変形させることによって、別の用途に加えることが出来る。又、小道具を使用し湾曲状の支柱に貫通孔（１２）が等間隔に設けられている為に、僅かの力叩くか万力を固定して折り曲げさせることによって、長さが緩やかな湾曲をかたどって長くできる。又、長円形の平状固定部（１９）の設置面に対して、細長貫通支柱（３８）の全長の平均軸が９０度ほどの平行状態におさまる為、貫通支柱（１２）は別例の用途にも変形を加えて使用できる。
【００５５】
図１３に示す細長貫通支柱（３８）の別例の考案であって、貫通孔（１２）から線材（２６）を下げホースバンド（３７）に緊結（２９）し壁用照明器具（３５）の頭部に締め付け、侵入を防げるものである。
【００５６】
図１４に示す上記共に別例の細長貫通支柱（３８）で、天井面の埋め込み式器具には細長貫通支柱（３８）を必要としないが、蛍光灯の露出式と蛍光灯の傘付き及び円・角形状の凸状の照明器具等を覆う為に、貫通支柱（２）を変形させた細長貫通支柱（３８）を天井面に対して逆状に取り付ける。
【００５７】
又、貫通支柱（２）を数多く使用すれば限りなく長くでき幅も拡大できるが、あくまで下地材の所が多くあって固着出来るものである。
【００５８】
又、本考案の線材（２６）の張設においては、一段ずつ張り巡らせるのが容易な施工であるが、壁の上部縁端部に固着する。異なる支柱の貫通孔（１２）に線材（２６）を挿通させるが、翼を広げる燕とコウモリは線材を恐れるために、支柱の上方部に具備された貫通孔に挿通する線材、又、下方部には任意で数を少なくしても壁と線材の空間部の幅が小さい為、羽ばたく事が出来ず、侵入を拒む為、線材を少なくし最下線材を残して一つおきでもよい。
【００５９】
更に、天井面に設置される正面器具には、燕は線材に垂下するだけで、たとえ線材の数が少なくても侵入を望んでまで営巣を求めない。
【符号の説明】
【００６０】
１    本体
２    貫通支柱
３    出隅支柱
４    入隅支柱
５    入隅左右支柱
６    平壁
７    出隅壁
８    入隅壁
８―１    入隅壁下端部
９    円球ガード
１０  腕木の長さ
１１  ラッパ状
１２  貫通孔
１２―１    面付き筒孔
１２―２    面付き湾曲孔
１３  Ａ断面
１３―１    側
１４  Ｂ断面
１４―１    側
１５  Ｃ地点
１６  Ｄ地点
１７  最下孔
１８  裏側の縦中心線
１９  長円形の平状固定部
２０  長円形のＬ字固定部
２１  長円形の逆Ｌ字状固定部
２２  長円形の左右状固定部
２３  ビス孔
２４  カマボコビス
２４―１  平ビス
２５  コイルバネ
２６  線材
２７  係止体
２８  掛止状
２９  緊結
３０  耐力壁
３１  耐力柱
３２  垂れ壁
３３  空間
３４  天井
３５  壁用照明器具
３６  天井照明器具
３７  ホースバンド
３８  細長貫通支柱
３９  支持体
【図１】
2014131492.tif 000003
【図２】
2014131492.tif 000004
【図３】
2014131492.tif 000005
【図４】
2014131492.tif 000006
【図５】
2014131492.tif 000007
【図６】
2014131492.tif 000008
【図７】
2014131492.tif 000009
【図８】
2014131492.tif 000010
【図９】
2014131492.tif 000011
【図１０】
2014131492.tif 000012
【図１１】
2014131492.tif 000013
【図１２】
2014131492.tif 000014
【図１３】
2014131492.tif 000015
【図１４】
2014131492.tif 000016